【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
第１及び第２の壁、及び開口部を有し、この開口部が、それぞれが前記第１及び第２の壁に、当該壁の上部に隣接して取り付けられた細長いフレキシブルな第１及び第２のファスナーストリップによって規定されるチャック付き袋であって、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記壁のそれぞれに接続された基部を有し、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
前記ファスナーストリップの一方の端部に近接したクレードルを備え、このクレードルは、前記ファスナーストリップが相補的なシール部材の対応するシール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有することを特徴とするチャック付き袋。
【請求項２】
請求項１に記載のチャック付き袋において、前記クレードルが、前記スライダの長さより大きい長さを有して、前記スライダを前記クレードル内に保持することを特徴とするチャック付き袋。
【請求項３】
請求項１に記載のチャック付き袋において、前記クレードルがタブを有し、このタブは前記クレードルから約４５°の角度に延びて、前記スライダに接して前記スライダを前記クレードル内に保持することを特徴とするチャック付き袋。
【請求項４】
請求項１に記載のチャック付き袋において、前記スライダがさらに、
前記スライダ上に配置されたセパレータを備え、このセパレータは、前記スライダの上部に取り付けられて前記スライダから下向きに延びる近接部を有し、前記セパレータはさらに、前記リブが、前記溝を形成する形状部分中の前記溝内に保持される際に、前記スライダの上部と前記ファスナーストリップの上縁との間の第１空間内に存在する末端部を有し、
前記セパレータは、前記リブの前記溝からの選択的分離を促進するように構成され配置された６０°±３０°の角度を有する矢印形の先端を有し、
前記リブは、前記スライダが前記クレードル内にある際に、前記溝内に保持されたままで前記ファスナーストリップのシールを行う
ことを特徴とするチャック付き袋。
【請求項５】
請求項１に記載のチャック付き袋において、前記スライダが、前記ストリップ上に第１の進行終了停止位置及び第２の進行終了停止位置を有し、前記第１の進行終了停止位置は、前記チャック付き袋を閉じた際の停止位置であり、前記第２の進行終了停止位置は、前記チャック付き袋を開いた際の停止位置であることを特徴とするチャック付き袋。
【請求項６】
請求項１に記載のチャック付き袋において、前記クレードルの内部形状がほぼＣ字形であり、このＣ字形の中に前記スライダを保持することを特徴とするチャック付き袋。
【請求項７】
請求項１に記載のチャック付き袋において、前記クレードルが、前記スライダを前記クレードル内に選択的に保持するための、前記クレードル内の凹部及びこの凹部から延びる少なくとも１つのタブを備えていることを特徴とするチャック付き袋。
【請求項８】
袋を閉じるためのアセンブリにおいて、
前記袋の開口部の周縁部に固定可能な第１及び第２の細長いフレキシブルなファスナーストリップであって、前記ファスナーストリップの一方は、溝を形成する形状部分を有し、前記ファスナーストリップの他方は、リブを形成する形状部分を有し、前記リブの一部分は、前記溝内に受け入れられ保持されて前記ファスナーストリップどうしを結束させ、前記ファスナーストリップの各々が、他方の前記ファスナーストリップの上縁に隣接する上縁を有するファスナーストリップと；
前記ファスナーストリップに装着されたスライダであって、前記ファスナーストリップの長手方向の一方の向きに移動して、前記リブを前記溝から徐々に分離して前記ファスナーストリップどうしを分離することができ、逆向きに移動して、前記リブを前記溝内に保持された状態に徐々に戻して前記ファスナーストリップどうしを結合することができるスライダと；
前記スライダ内に配置されたセパレータであって、前記スライダに取り付けられた近接部、及び前記溝内に存在する末端部を有するセパレータと；
前記ファスナーストリップの一方の端部に近接したクレードルとを備え、このクレードルは、前記ファスナーストリップが相補的なシール部材の対応するシール部とかみ合ってシールする間に、前記スライダの基部を当該クレードル内に保持するように寸法決め、構成、及び配置され、これにより、前記リブ及び前記溝をシールされて組み合った位置に留め、前記クレードルの長さは前記スライダの長さより長く、これにより前記スライダを前記クレードル内に保持し、前記クレードルは、前記スライダが前記クレードル内にある際に前記スライダに接するタブを有することを特徴とする袋閉じ用アセンブリ。
【請求項９】
請求項８に記載のアセンブリにおいて、前記クレードルが、前記スライダを前記クレードル内に選択的に保持するための、前記クレードル内の凹部及びこの凹部から延びる少なくとも１つのタブを備えていることを特徴とするアセンブリ。
【請求項１０】
請求項８に記載アセンブリにおいて、前記ファスナーストリップの各々が、他方の前記ファスナーストリップの上部外壁と平行に配置された上部外壁、及びこの上部外壁から外向きに出てこの上部外壁に平行に配置された一対のフランジを有し、これらのフランジは、前記スライダ内に保持されるように寸法決め、構成、及び配置されていることを特徴とするアセンブリ。
【請求項１１】
第１及び第２の壁、及び開口部を有し、この開口部が、それぞれが前記第１及び第２の壁に、当該壁の上部に隣接して取り付けられた細長いフレキシブルな第１及び第２のファスナーストリップによって規定されるチャック付き袋であって、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記第１及び第２の壁のそれぞれに接続された基部を有し、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
前記壁の各々が、当該壁から外向きに出て当該壁の上縁に平行に延びるフランジを有し、このフランジは、当該フランジ上に前記スライダを保持するように構成及び配置され、
前記チャック付き袋がさらに、前記ファスナーストリップの一方の端部に近接したクレードルを備え、このクレードルは、前記ファスナーストリップが相補的なシール部材の対応するシール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有することを特徴とするチャック付き袋。
【請求項１２】
請求項１１に記載のチャック付き袋において、前記スライダは前記ストリップ上に第１の進行終了停止位置及び第２の進行終了停止位置を有し、前記第１の進行終了停止位置は、前記チャック付き袋を閉じた際の停止位置であり、前記第２の進行終了停止位置は、前記チャック付き袋を開いた際の停止位置であることを特徴とするチャック付き袋。
【請求項１３】
請求項１１に記載のチャック付き袋において、前記チャック付き袋の各側壁が、当該側壁から延びる単一のフランジを有することを特徴とするチャック付き袋。
【請求項１４】
袋を閉じるためのアセンブリにおいて、
前記袋の開口部の周縁部に固定可能な第１及び第２の細長いフレキシブルなファスナーストリップであって、前記ファスナーストリップの一方は、溝を形成する形状部分を有し、前記ファスナーストリップの他方は、リブを形成する形状部分を有し、前記リブの一部分は、前記溝内に受け入れられ保持されて前記ファスナーストリップをまとめて保持し、前記ファスナーストリップの各々が、他方の前記ファスナーストリップの上縁に隣接する上縁を有するファスナーストリップと；
前記ストリップに装着されたスライダであって、前記ファスナーストリップの長手方向の一方の向きに移動して、前記リブを前記溝から徐々に分離して前記ファスナーストリップどうしを分離することができ、逆向きに移動して、前記リブを前記溝内に保持された状態に徐々に戻して前記ファスナーストリップどうしを結合することができるスライダとを備え、
前記ファスナーストリップの各々が、他方の前記ファスナーストリップの上部外壁と平行に配置された上部外壁、及びこの上部外壁から外向きに出てこの上部外壁に平行に配置された一対のフランジを有し、これらのフランジは、前記スライダ内に保持されるように寸法決め、構成、及び配置され、
前記アセンブリがさらに、前記ファスナーストリップの一方の端部に近接したクレードルを備え、このクレードルは、前記ファスナーストリップが相補的なシール部材の対応するシール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有することを特徴とする袋閉じ用アセンブリ。
【請求項１５】
請求項１４に記載のアセンブリにおいて、前記ファスナーストリップの各々が、その両端で互いに超音波シールされ、かつ前記チャック付き袋の側縁部に近接した所で前記チャック付き袋の前記壁に超音波シールされることを特徴とするアセンブリ。
【請求項１６】
請求項１４に記載のアセンブリにおいて、前記スライダが一対の内向きチャネルを有し、これらの内向きチャネルが、前記フランジを摺動自在に受け入れるためのスロットを形成し、このスロット内に前記フランジを保持することを特徴とするアセンブリ。
【請求項１７】
請求項１４に記載のアセンブリにおいて、前記チャネルが、対向して配置された内向きショルダー部材を備え、これらの内向きショルダー部材は、当該内向きショルダー部材間にギャップを有し、前記スライダの底部上に配置されていることを特徴とするアセンブリ。
【請求項１８】
請求項１４に記載のアセンブリにおいて、前記内向きショルダー部材の各々が、前記ファスナーストリップを前記ギャップ内に導くように配置された斜面を有することを特徴とするアセンブリ。
【請求項１９】
請求項１４に記載のアセンブリにおいて、前記チャック付き袋の各側壁が、当該側壁から延びる単一のフランジを有することを特徴とするアセンブリ。
【請求項２０】
請求項１４に記載のアセンブリにおいて、前記クレードルが、前記スライダを前記クレードル内に選択的に保持するための、前記クレードル内の凹部及びこの凹部から延びる少なくとも１つのタブを備えていることを特徴とするアセンブリ。
【請求項２１】
請求項１４に記載のアセンブリにおいて、前記クレードルが前記スライダより少し大きく、前記スライダの大きさの変動を許容しつつ、前記スライダを前記クレードル内に保持することを特徴とするアセンブリ。
【請求項２２】
チャック付き袋で使用される細長いフレキシブルなファスナーストリップにおいて、
基部と；
前記基部に取り付けられたシール部材であって、相補的なファスナーストリップの相補的なシール部材の一部分を形成する相補的なシール部とかみ合うように構成された複数のシール部を含むシール部材と；
前記複数のシール部の第１シール部から延びる少なくとも１つのフィンガー部材であって、前記相補的なシール部材の第１の相補的な部分とかみ合ってシールするよう構成されたフィンガー部材と；
前記シール部を選択的にかみ合わせ、選択的に離すためのスライダと；
前記ファスナーストリップの一方の端部に近接したクレードルとを備え、前記クレードルは、前記ファスナーストリップが前記相補的なシール部材の対応するシール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有する
ことを特徴とするファスナーストリップ。
【請求項２３】
請求項２２に記載のファスナーストリップにおいて、前記クレードルが、前記スライダを前記クレードル内に選択的に保持するための、前記クレードル内の凹部及びこの凹部から延びる少なくとも１つのタブを備えていることを特徴とするファスナーストリップ。
【請求項２４】
請求項２２に記載のファスナーストリップにおいて、前記少なくとも１つのフィンガー部材が、前記シール部材の前記第１シール部から横向きかつ部分的に上向きに延びることを特徴とするファスナーストリップ。
【請求項２５】
請求項２２に記載のファスナーストリップにおいて、複数の前記フィンガー部材の各フィンガー部材が、前記第１シール部から、前記複数のフィンガー部材の他のフィンガー部材に対して異なる角度に延びることを特徴とするファスナーストリップ。
【請求項２６】
請求項２２に記載のファスナーストリップにおいて、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするファスナーストリップ。
【請求項２７】
請求項２２に記載のファスナーストリップにおいて、さらに、前記ファスナーストリップの上縁に配置された細長いガイドレールを備え、このガイドレールは、前記スライダを前記ファスナーストリップ上に保持するように構成された少なくとも１つの突起を含むことを特徴とするファスナーストリップ。
【請求項２８】
第１及び第２のフレキシブルな壁と；
それぞれが前記第１及び第２の壁に、これらの壁によって形成される開口部に隣接して取り付けられた相補的なファスナーストリップであって、前記相補的なファスナーストリップの各々が、基部、及びこの基部に取り付けられたシール部材を備え、前記シール部材の各々が、前記相補的なファスナーストリップの前記シール部材の一部分を形成する相補的なシール部とかみ合うよう構成された複数のシール部を備えている相補的なファスナーストリップと；
前記相補的なファスナーストリップの第１ファスナーストリップ用の少なくとも１つのフィンガー部材であって、前記複数のシール部の第１シール部から延び、前記相補的なファスナーストリップの前記シール部材の第１の相補的な部分とかみ合ってシールするように構成されたフィンガー部材と；
スライダとを備えたチャック付き袋において
前記スライダが、
上部壁、及びこの上部壁から下向きかつほぼ垂直に延びる側壁を有する細長い本体と；
前記側壁の下端にある内向きフランジとを備え、これらの内向きフランジは、当該内向きフランジ間にギャップを規定し、このギャップは、前記相補的なファスナーストリップの第１の前記シール部材の前記第１シール部と前記シール部材の前記第１の相補的な部分とを互いに押し付け、これにより少なくとも１つの前記フィンガー部材が前記相補的な部分とかみ合ってシールするように構成され、
前記相補的なファスナーストリップの少なくとも一方がさらに、前記相補的なファスナーストリップの一端の付近にクレードルを有し、このクレードルは、前記相補的なファスナーストリップが前記相補的なシール部材の対応する前記シール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有することを特徴とするチャック付き袋。
【請求項２９】
請求項２８に記載のチャック付き袋において、前記少なくとも１つのフィンガー部材が、前記シール部材の前記第１シール部から横向きかつ部分的に上向きに延びることを特徴とするチャック付き袋。
【請求項３０】
請求項２８に記載のチャック付き袋において、複数の前記フィンガー部材の各フィンガー部材が、前記複数のフィンガー部材の他のフィンガー部材に対して異なる角度に延びることを特徴とするチャック付き袋。
【請求項３１】
請求項２８に記載のチャック付き袋において、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするチャック付き袋。
【請求項３２】
請求項２８に記載のチャック付き袋において、前記内向きフランジが前記側壁にほぼ垂直であることを特徴とするチャック付き袋。
【請求項３３】
請求項２８に記載のチャック付き袋において、前記側壁が前記相補的なファスナーストリップを通って下向きに延びるように構成されていることを特徴とするチャック付き袋。
【請求項３４】
請求項２８に記載のチャック付き袋において、前記相補的なファスナーストリップどうしが部分的にかみ合った状態である際に、前記内向きフランジによって規定される前記ギャップが、前記相補的なファスナーストリップどうしを組み合わせた大きさより小さく、これにより、前記少なくとも１つのフィンガー部材が、前記第１の相補的な部分に押し付けられてかみ合ってシールすることを特徴とするチャック付き袋。
【請求項３５】
請求項２８に記載のチャック付き袋において、前記第１の相補的な部分を前記相補的なファスナーストリップ上の領域内でかみ合わせてシールする手段が、前記相補的なファスナーストリップ上に保持された前記スライダを備えていることを特徴とするチャック付き袋。
【請求項３６】
第１及び第２の壁、及び開口部を有し、この開口部が、それぞれが前記第１及び第２の壁に、当該壁の上部に隣接して取り付けられた細長いフレキシブルな第１及び第２のファスナーストリップによって規定されるチャック付き袋であって、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記第１及び第２の壁のそれぞれに接続された基部を有し、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
前記壁の各々が、当該壁から外向きに出て当該壁の上縁に平行に延びるフランジを有し、このフランジは、当該フランジ上に前記スライダを保持するように構成及び配置されていることを特徴とするチャック付き袋。
【請求項３７】
チャック付き袋で使用される細長いフレキシブルなファスナーストリップにおいて、
基部と；
前記基部に取り付けられたシール部材であって、相補的なファスナーストリップの相補的なシール部材の一部分を形成する相補的なシール部とかみ合うように構成された複数のシール部を含むシール部材と；
前記複数のシール部の第１シール部から延びる少なくとも１つのフィンガー部材であって、前記相補的なシール部材の第１の相補的な部分とかみ合ってシールするよう構成されたフィンガー部材と；
前記シール部を選択的にかみ合わせ、選択的に離すためのスライダと；
前記ファスナーストリップの一方の端部に近接したクレードルであって、このクレードルは、前記ファスナーストリップが前記相補的なシール部材の対応するシール部とかみ合ってシールする間に、前記スライダの基部を当該クレードル内に受け入れて保持するように寸法決め、構成、及び配置され、前記クレードルの長さは前記スライダの長さより長く、これにより前記スライダを前記クレードル内に保持し、前記クレードルは、前記スライダが前記クレードル内にある際に前記スライダに接するタブを有するクレードルと；
前記クレードルに対向する前記ファスナーストリップ上にあり、前記チャック付き袋及び前記ストリップの漏れを防止するためのスポットシールと
を備えていることを特徴とするファスナーストリップ。
【請求項３８】
請求項３７に記載のファスナーストリップにおいて、前記クレードルが、前記スライダを前記クレードル内に選択的に保持するための、前記クレードル内の凹部及びこの凹部から延びる少なくとも１つのタブを備えていることを特徴とするファスナーストリップ。
【請求項３９】
請求項３７に記載のファスナーストリップにおいて、前記クレードルが、前記スライダの長さより大きい長さを有して、前記スライダを前記クレードル内に保持することを特徴とするファスナーストリップ。
【請求項４０】
請求項３７に記載のファスナーストリップにおいて、前記クレードルがタブを有し、このタブは前記クレードルから約４５°の角度に延びて、前記スライダに接して前記スライダを前記クレードル内に保持することを特徴とするファスナーストリップ。
【請求項４１】
請求項３７に記載のファスナーストリップにおいて、前記少なくとも１つのフィンガー部材が、前記シール部材の前記第１シール部から横向きかつ部分的に上向きに延びることを特徴とするファスナーストリップ。
【請求項４２】
請求項３７に記載のファスナーストリップにおいて、複数の前記フィンガー部材の各フィンガー部材が、前記第１シール部から、前記複数のフィンガー部材の他のフィンガー部材に対して異なる角度に延びることを特徴とするファスナーストリップ。
【請求項４３】
請求項３７に記載のファスナーストリップにおいて、前記少なくとも１つのフィンガー部材が、前記スライダが前記ファスナーストリップ上に保持されている際に存在する前記ファスナーストリップ上の領域内で、前記第１の相補的な部分とかみ合ってシールすることを特徴とするフィンガーストリップ。